(57)【特許請求の範囲】
【請求項１】
路側の車両位置検知手段で検知した車両位置を送信可能な路車間通信エリアにおいては路車間通信により取得した車両位置を利用して運転支援を行うとともに、路車間通信エリア外においては車載の車両位置検知手段により検知した車両位置を利用して運転支援を行う運転支援装置であって、
車両が路側の車両位置検知手段で車両位置を検知可能なエリア内から該エリア外に出る場合、該エリア内から該エリア外に出るタイミングに対して路車間通信により取得した車両位置から車載の車両位置検知手段により検知した車両位置への切り替えのタイミングを遅延させることを特徴とする運転支援装置。
【請求項２】
前記切り替えのタイミングの遅延は、車両が路側の車両位置検知手段で車両位置を検知可能なエリア内から該エリア外に出た後の所定距離又は所定時間走行している間、路車間通信により取得した車両位置の利用を継続することを特徴とする請求項１に記載する運転支援装置。
【請求項３】
車両が路側の車両位置検知手段で車両位置を検知可能なエリア外から該エリア内に入る場合、車載の車両位置検知手段により検知した車両位置から路車間通信により取得した車両位置に徐々に切り替えることを特徴とする請求項１又は請求項２に記載する運転支援装置。
【請求項４】
車両位置は、他車両の車両位置であり、
車載の車両位置検知手段により検知した他車両の車両位置から路車間通信により取得した他車両の車両位置への徐々の切り替えを、他車両が自車両の運転者の視認エリアに入る前に終了することを特徴とする請求項３に記載する運転支援装置。
【請求項５】
車両位置は、他車両の車両位置であり、
車載の車両位置検知手段により検知した他車両の車両位置を車車間通信により取得することを特徴とする請求項１〜請求項４のいずれか一項に記載する運転支援装置。
【発明の詳細な説明】
【技術分野】
【０００１】
本発明は、運転支援装置に関する。
【背景技術】
【０００２】
近年、運転者の負担を軽減するために、運転者に対して各種支援を行うための装置が開発されている。運転支援装置としては、例えば、自車両が交差点に進入しようとしている場合、その交差点に交差している道路や対向車線を走行している他車両との衝突可能性を予測し、その予測した衝突可能性に応じて表示や音声によって運転者に対して報知したり、自動ブレーキなどによって車両側を制御したり、あるいは、ディスプレイ上に他車両の位置を表示したりする。このような運転支援を行う場合、他車両の位置、車速、進行方向などの情報が必要となる。そこで、他車両の情報を取得する手段として、路車間通信や車車間通信を利用することが検討されている。路車間通信の場合、インフラ側に所定のエリア内を検知可能な検知手段（カメラと画像処理装置、ミリ波レーダなど）が設けられ、その検知手段によって検知された車両の位置情報などをビーコンで送信する。車車間通信の場合、ＧＰＳ[Global Positioning System]受信機などが車両に搭載され、ＧＰＳなどを利用して検知された車両の位置情報などを車載の通信機で送信する。
【０００３】
特許文献１には、自律センサ（ＧＰＳ受信機）やナビゲーションシステムなどを用いて自車両の位置を検知するとともに前方車両から車車間通信によって前方車両の位置を取得し、その自車両の位置と前方車両の位置から車間距離を求め、その求めた車間距離が予め設定された車間距離になるように自車両の速度を制御する装置について開示されている。さらに、この装置では、自車両が道路上に局所的に設けられた位置情報付与手段（例えば、路側の通信装置）を通過するときにその位置情報付与手段から道路上の位置情報を取得し、その位置情報付与手段から取得した位置を用いて自車両の位置の修正を徐々に行い、一時的に急激な加速や減速をすることを防止している。
【特許文献１】特開平１０−２１５００号公報
【特許文献２】特開２００４−１８５４２９号公報
【発明の開示】
【発明が解決しようとする課題】
【０００４】
車両が路車間通信エリアに入ったときや路車間通信エリアから出たときには、路車間通信で取得した位置情報と車車間通信で取得した位置情報とを切り替えて用いる。一般に、インフラ検知手段による位置情報は精度が良く、車両側におけるＧＰＳなどを利用した自律センサによる位置情報は精度が良くないので、路車間通信による位置情報の方が車車間通信による位置情報より高精度である。そのため、路車間通信エリアの進入地点や退出地点において路車間通信で取得した位置情報と車車間通信で取得した位置情報とを単純に切り替えると、位置精度の違いから車両位置に大きな差が発生し、車両位置が大きく変化する場合がある。その結果、例えば、衝突予測の精度が低下したり、あるいは、ディスプレイ上に表示される車両の位置が一気に飛んだりする。
【０００５】
上記の特許文献１に記載の装置では、その精度の違いを考慮して、路車間通信などによる精度の高い車両位置情報を取得したときには自車両の位置修正を徐々に行っている。しかし、路車間通信による精度の高い車両位置情報から精度の低い車両位置情報（例えば、車車間通信による位置情報）に切り替わる場合や他車両について精度の異なる車両位置情報が切り替わる場合については考慮されていない。
【０００６】
そこで、本発明は、精度の異なる車両位置を切り替える際に車両位置の変化を抑制する運転支援装置を提供することを課題とする。
【課題を解決するための手段】
【０００７】
本発明に係る運転支援装置は、路側の車両位置検知手段で検知した車両位置を送信可能な路車間通信エリアにおいては路車間通信により取得した車両位置を利用して運転支援を行うとともに、路車間通信エリア外においては車載の車両位置検知手段により検知した車両位置を利用して運転支援を行う運転支援装置であって、車両が路側の車両位置検知手段で車両位置を検知可能なエリア内から該エリア外に出る場合、該エリア内から該エリア外に出るタイミングに対して路車間通信により取得した車両位置から車載の車両位置検知手段により検知した車両位置への切り替えのタイミングを遅延させることを特徴とする。
【０００８】
この運転支援装置では、車載の車両位置検知手段で検知した車両位置を取得でき、路車間通信エリア内を車両が走行しているときには路車間通信により路側の車両位置検知手段で検知した道路上の車両位置も取得でき、これらの車両位置を利用して各種運転支援を行う。特に、運転支援装置では、車両が路側の車両位置検知手段で車両位置を検知可能なエリア内から該エリア外に出る場合（すなわち、車載の車両位置検知手段による車両位置しか取得できないエリアになる場合）、そのエリア内からエリア外に出るタイミングに対して、路車間通信により取得した車両位置（すなわち、路側の車両位置検知手段により検知した車両位置）から車載の車両位置検知手段により検知した車両位置に直ちに切り替えるのではなく、路車間通信により取得した車両位置から車載の車両位置検知手段により検知した車両位置への切り替えのタイミングを遅延させる。一般に、路側の車両位置検知手段による位置検知精度と車載の車両位置検知手段による位置検知精度とを比較すると、路側の車両位置検知手段の方が位置検知精度が高い。そこで、車載の車両位置検知手段による車両位置しか取得できないエリアに入った後も、暫くの間、路車間通信により取得した車両位置（すなわち、路側の車両位置検知手段で検知した車両位置）に基づく車両位置とする。これによって、路側の車両位置検知手段の位置検知精度と車載の車両位置検知手段の位置検知精度の違いによる車両位置の急変を防止でき、路側の車両位置検知手段による車両位置により高い位置精度も担保できる。このように、運転支援装置では、車両位置精度の異なる路車間通信により取得した車両位置から車載の車両位置検知手段により検知した車両位置への切り替えの際に車両位置の変化を抑制でき、高精度な運転支援を行うことができる。特に、ディスプレイにおいて地図上に車両位置を表示するような運転支援の場合、車両位置が急激に移動するようなことがないので、運転者は違和感やシステムに対する不信感を受けない。
【０００９】
なお、車両位置としては、運転支援装置が搭載される自車両の車両位置又は他車両の車両位置がある。車載の車両位置検知手段による車両位置としては、自車両に搭載される車両位置検知手段によって検知された自車両の車両位置又は他車両に搭載される車両位置検知手段によって検知された他車両の車両位置がある。他車両の車両位置の場合、車車間通信などを利用することにより自車両の運転支援装置に取得できる。車載の車両位置検知手段としては、例えば、ＧＰＳ受信機などの自律センサ、ナビゲーションシステムにおける自車両の位置検知がある。路側の車両位置検知手段は、例えば、カメラと画像処理装置、ミリ波レーダなどのレーダ、レーンマーカがある。
【００１０】
本発明の上記運転支援装置では、切り替えのタイミングの遅延は、車両が路側の車両位置検知手段で車両位置を検知可能なエリア内から該エリア外に出た後の所定距離又は所定時間走行している間、路車間通信により取得した車両位置の利用を継続する構成としてもよい。
【００１１】
この運転支援装置では、車両が路側の車両位置検知手段で車両位置を検知可能なエリア内から該エリア外に出る場合、そのエリア内からエリア外に出た後の所定距離又は所定時間走行している間、路車間通信により取得した車両位置（すなわち、路側の車両位置検知手段により検知した車両位置）を利用し続ける。このように、運転支援装置では、エリア外になった後も暫くの間は位置検知精度の高い路側の車両位置検知手段により検知した車両位置を利用するので、高い位置精度を維持でき、高精度な運転支援を行うことができる。
【００１２】
本発明の上記運転支援装置では、車両が路側の車両位置検知手段で車両位置を検知可能なエリア外から該エリア内に入る場合、車載の車両位置検知手段により検知した車両位置から路車間通信により取得した車両位置に徐々に切り替える構成としてもよい。
【００１３】
この運転支援装置では、車両が路側の車両位置検知手段で車両位置を検知可能なエリア外から該エリア内に入る場合（すなわち、路側の車両位置検知手段による車両位置も路車間通信により取得できるエリアになる場合）、車載の車両位置検知手段により検知した車両位置から路車間通信により取得した車両位置（すなわち、路側の車両位置検知手段により検知した車両位置）に直ちに切り替えるのではなく、車載の車両位置検知手段により検知した車両位置から路車間通信により取得した車両位置に徐々に切り替える。これによって、路側の車両位置検知手段の位置検知精度と車載の車両位置検知手段の位置検知精度の違いによる車両位置の急変を防止でき、車載の車両位置検知手段による車両位置から路側の車両位置検知手段による車両位置に徐々に収束してゆく。このように、運転支援装置では、車両位置精度の異なる車載の車両位置検知手段により検知した車両位置から路車間通信により取得した車両位置への切り替えの際に車両位置の変化を抑制できる。
【００１４】
本発明の上記運転支援装置では、車両位置は、他車両の車両位置であり、車載の車両位置検知手段により検知した他車両の車両位置から路車間通信により取得した他車両の車両位置への徐々の切り替えを、他車両が自車両の運転者の視認エリアに入る前に終了すると好適である。
【００１５】
この運転支援装置では、他車両が路側の車両位置検知手段で車両位置を検知可能なエリア外から該エリア内に入る場合に車載の車両位置検知手段により検知した他車両の車両位置から路車間通信により取得した他車両の車両位置に徐々に切り替えるが、この切り替えを他車両が自車両の運転者の視認エリアに入る前に終了する。したがって、運転者が目視で確認できる位置まで他車両が到達したときには、運転支援で用いる他車両の車両位置（例えば、ディスプレイにおいて表示される車両位置）が位置検知精度の高い路側の車両位置検知手段による車両位置となるので、運転者が目視との比較でその運転支援に対して違和感を感じない。また、運転者が目視で確認できる位置まで他車両が到達していないときには、運転支援で用いる他車両の車両位置を路側の車両位置検知手段で検知した車両位置まで徐々に修正するので、車両位置の急激な変化を防止でき、運転者がその運転支援に対して違和感を感じない。
【００１６】
本発明の上記運転支援装置では、車両位置は、他車両の車両位置であり、車載の車両位置検知手段により検知した他車両の車両位置を車車間通信により取得する構成としてもよい。
【００１７】
この運転支援装置では、車載の車両位置検知手段で検知した他車両の車両位置を車車間通信により取得でき、路車間通信エリア内を車両が走行しているときには路車間通信により路側の車両位置検知手段で検知した他車両の車両位置も取得でき、これらの車両位置を利用して各種運転支援を行う。したがって、この運転支援装置では、他車両が路側の車両位置検知手段で車両位置を検知可能なエリア内から該エリア外に出る場合、そのエリア内からエリア外に出るタイミングに対して、路車間通信により取得した他車両の車両位置から車車間通信により取得した他車両の車両位置に直ちに切り替えるのではなく、路車間通信により取得した他車両の車両位置から車車間通信により取得した他車両の車両位置への切り替えのタイミングを遅延させる。また、この運転支援装置では、他車両が路側の車両位置検知手段で車両位置を検知可能なエリア外から該エリア内に入る場合、車車間通信により取得した他車両の車両位置から路車間通信により取得した他車両の車両位置に直ちに切り替えるのではなく、車車間通信により取得した他車両の車両位置から路車間通信により取得した他車両の車両位置に徐々に切り替える。
【発明の効果】
【００１８】
本発明は、精度の異なる車両位置を切り替える際に車両位置の変化を抑制することができる。
【発明を実施するための最良の形態】
【００１９】
以下、図面を参照して、本発明に係る運転支援装置の実施の形態を説明する。
【００２０】
本実施の形態では、本発明に係る運転支援装置を、路車間通信と車車間通信を行う車両に搭載される運転支援装置に適用する。本実施の形態に係る運転支援装置は、路車間通信機と車車間通信機が常時作動しており、路車間通信で受信したデータと車車間通信で受信したデータを状況に応じて使い分けることができる並列処理が可能なシステムである。本実施の形態に係る運転支援装置では、路車間通信で受信したデータと車車間通信で受信したデータから他車両の位置を特定するとともにＧＰＳを利用して自車両の位置を特定し、他車両と自車両の関係に基づいて危険状態判定を行うとともに他車両の位置を表示する。そして、本実施の形態に係る運転支援装置では、特定した各車両位置や危険状態判定結果に基づいて、ＨＭＩ[Human Machine Interface]としてディスプレイによる画面表示、スピーカによる音声出力、ブザーによる警告を行う。なお、本実施の形態では、道路上を走行する多数の車両に運転支援装置がそれぞれ搭載され、各車両において運転支援装置が作動している。
【００２１】
図１〜図６を参照して、本実施の形態に係る運転支援装置１について説明する。図１は、本実施の形態に係る運転支援装置の構成図である。図２は、片側一車線の場合の他車両がインフラ検知エリアから出るときの他車両の実際の位置推移と従来の運転支援装置における処理後の他車両の位置推移の一例である。図３は、片側一車線の場合の他車両がインフラ検知エリアから出るときの他車両の実際の位置推移と図１の運転支援装置における処理後の他車両の位置推移の一例である。図４は、片側一車線の場合の他車両がインフラ検知エリアに入るときの他車両の実際の位置推移と従来の運転支援装置における処理後の他車両の位置推移の一例である。図５は、片側二車線の場合の２台の他車両がインフラ検知エリアに入るときの他車両の実際の位置推移と従来の運転支援装置における処理後の他車両の位置推移の一例である。図６は、片側一車線の場合の他車両がインフラ検知エリアに入るときの他車両の実際の位置推移と図１の運転支援装置における処理後の他車両の位置推移の一例である。
【００２２】
運転支援装置１は、他車両の現在位置を特定する際に、基本的には、路車間通信でインフラデータを受信できるエリアではその受信したインフラデータを利用し、それ以外のエリアでは車車間通信で受信した車車間通信データを利用する。特に、運転支援装置１では、他車両についてのインフラデータと車車間通信データとが切り替わる際の車両位置の急激な変化を抑制するために、他車両がインフラ検知エリアを出るときにはインフラデータから車車間通信データへの切り替えを遅延させ、他車両がインフラ検知エリアに入るときには車車間通信データからインフラデータへ徐々に切り替える。
【００２３】
運転支援装置１は、路車間通信機１０、車車間通信機１１、ＧＰＳ受信機１２、地図データベース１３、車速センサ１４、ブレーキスイッチ１５、ウインカスイッチ１６、ディスプレイ２０、スピーカ２１、ブザー２２、ＥＣＵ[Electronic Control Unit]３０を備えており、ＥＣＵ３０に通信制御部３１、受信信号処理部３２、位置データ処理部３３、危険状態判定部３４、ＨＭＩ制御部３５が構成される。
【００２４】
路車間通信機１０は、路側の通信機（例えば、光ビーコン、電波ビーコン）と通信するための無線通信機である。路車間通信機１０では、自車両が路車間通信エリア内に存在するときに、路車間通信用アンテナによって路側の通信機に対して自車両信号を送信するとともに、路側の通信機から路側信号を受信する。路車間通信機１０は、ＥＣＵ３０によって受信制御され、受信した路側信号をＥＣＵ３０に出力する。また、路車間通信機１０は、ＥＣＵ３０によって受信制御され、ＥＣＵ３０から自車両信号を入力する。
【００２５】
路車間通信で受信するデータには、ＶＩＣＳ[Vehicle Information CommunicationSystem]情報とインフラデータなどがある。ＶＩＣＳデータは、道路交通情報であり、渋滞情報、交通規制情報、駐車場情報などがある。インフラデータは、他車両情報、インフラ検知エリア、道路情報、周辺情報などがある。他車両情報としては、インフラ検知手段で検知された他車両の各種情報であり、現在位置、車速、進行方向、加速度、車種、車両サイズ、ボディ色などがある。インフラ検知エリアは、インフラ検知手段で検知できるエリアであり、少なくともエリアの進入地点と退出地点の位置情報がある。道路情報としては、道路形状情報、車線情報、停止線情報、制限速度情報、車線毎の信号サイクル情報などがある。周辺情報としては、周辺の建物の情報、歩道橋の情報、立体交差の情報などがある。路車間通信で送信するデータには、車両の識別番号などがある。
【００２６】
路側の通信機は、交差点の手前などに設置される。この路側の通信機の設置位置や性能などに応じて、路車間通信エリアがそれぞれ設定される。この路車間通信エリア内に車両が存在する場合だけ、その車両に搭載される路車間通信機１０と路側の通信機との間で通信が可能である。したがって、運転支援装置１では、他車両の情報として、路車間通信エリア内を走行中のときだけインフラデータも取得でき、路車間通信エリア以外を走行中のときには車車間通信データしか取得できない。ただし、他車両がインフラ検知エリア外の場合には、自車両が路車間通信エリア内でも他車両の情報を取得できない。
【００２７】
インフラ検知手段は、路側で車両を検知する手段であり、交差点に進入する車両などを検知する。インフラ検知手段としては、カメラと画像処理装置からなる手段、ミリ波レーダなどのレーダ検知手段、レーンマーカなどの道路内に組み込まれた手段などがある。インフラ検知手段で検知する情報としては、車両の現在位置、車速、進行方向、加速度、車種、車両サイズ、ボディ色などがある。インフラ検知手段では、車両の各種情報を検知すると、その各種情報を路側の通信機に送信する。なお、本実施の形態ではインフラ検知手段が特許請求の範囲に記載する路側の車両位置検知手段に相当する。
【００２８】
インフラ検知手段のインフラ検知エリアは、インフラ検知手段の設置位置や性能、インフラ検知エリアが設置される場所（交差点など）の周辺の建物などの状況に応じて、それぞれ設定される。インフラ検知エリアは、通常、道路上に設定され、交差点から所定距離離れた位置から交差点と道路との境界あるいは交差点内に多少侵入した位置まで設定される。しかし、道路構造の制約（立体交差、歩道橋、交差点直前での道路のカーブ形状など）、道路周辺の建物や看板などにより、インフラ検知エリアを交差点と道路との境界付近まで設定できない場合もある。
【００２９】
車車間通信機１１は、車両同士で通信するための無線通信機である。車車間通信機１１では、車車間用アンテナによって所定距離以内に存在する他車両に対して車車間信号を送信するとともに、所定距離以内に存在する他車両から車車間信号を受信する。車車間通信機１１は、ＥＣＵ３０によって受信制御され、受信した車車間信号をＥＣＵ３０に出力する。また、車車間通信機１１は、ＥＣＵ３０によって送信制御され、ＥＣＵ３０から車車間信号を入力する。
【００３０】
車車間通信で受信するデータは、他車両の現在位置、車速、進行方向、加速度、車種、車両サイズ、ボディ色などがある。車車間通信で送信するデータは、自車両の現在位置、車速、進行方向、加速度、車種、車両サイズ、ボディ色などがある。この車車間通信データにおける現在位置、車速、進行方向、加速度などは、車両側で検知した情報である。例えば、現在位置はＧＰＳ受信機１２で検知した位置であり、車速は車速センサ１４で検知した車速である。
【００３１】
なお、インフラデータでの車両位置と車車間通信データでの車両位置の位置精度とを比較すると、インフラデータでの車両位置の位置精度の方が高い。車車間通信データの車両位置はＧＰＳを利用した位置のため、一般に、位置検知精度が低く、検知遅れなどもある。一方、インフラデータでの車両位置は画像処理やレーダを利用した位置のため、一般に、位置検知精度が高い。これは、インフラ検知手段自体の性能が良く、インフラ検知手段においてアルゴリズム最適化などによって検知誤差や検知遅れの改善なども行っているからである。
【００３２】
ＧＰＳ受信機１２は、ＧＰＳを利用して自車両の現在位置などを推定するための装備である。ＧＰＳ受信機１２では、一定時間毎に、ＧＰＳアンテナによってＧＰＳ衛星からのＧＰＳ信号を受信し、そのＧＰＳ信号を復調し、その復調された各ＧＰＳ衛星の位置データに基づいて自車両の現在位置（緯度、経度）などを算出する。そして、ＧＰＳ受信機１２では、自車両の現在位置情報などをＥＣＵ３０に送信する。なお、本実施の形態では、ＧＰＳ受信機１２が特許請求の範囲に記載する車載の車両位置検知手段に相当する。車載の車両位置検知手段としては、ナビゲーションシステムでの現在位置検出などの他の手段でもよい。また、ＧＰＳ受信機では主にＧＰＳ信号の受信処理だけを行い、ＧＰＳ信号に基づく現在位置の算出処理をＥＣＵで行ってもよい。
【００３３】
地図データベース１３は、運転支援装置１の記憶装置の所定の領域に構成される。地図データベース１３には、道路形状情報、車線情報、交差点形状情報などが格納される。なお、地図データベース１３の中に、路車間通信エリアやインフラ検知エリアの情報、周辺の建物の情報、歩道橋の情報、立体交差の情報なども格納されていてもよい。
【００３４】
車速センサ１４は、車両の速度を検知するセンサである。車速センサ１４では、一定時間毎に、車速を検知し、その検知した車速を車速信号としてＥＣＵ３０に送信する。ブレーキスイッチ１５は、運転者によってブレーキペダルが踏み込まれたか否か（ブレーキペダルのＯＮ／ＯＦＦ）を検知するスイッチである。ブレーキスイッチ１５では、一定時間毎に、ブレーキペダルのＯＮ／ＯＦＦをブレーキ信号としてＥＣＵ３０に送信する。ウインカスイッチ１６は、運転者による方向指示（右方向指示ＯＮ、左方向指示ＯＮ、ＯＦＦ）を入力するためのスイッチである。ウインカスイッチ１６では、運転者のウインカ操作情報をウインカ信号としてＥＣＵ３０に送信する。これらの検知された情報は、危険状態判定に利用されたり、車車間通信データとして他車両に送信される。これら以外にも、車両の進行方向などの各種の情報が検知され、運転支援装置１で利用される。
【００３５】
ディスプレイ２０は、ナビゲーションシステムなどと共用される車載ディスプレイあるいはメータのディスプレイである。ディスプレイ２０では、ＥＣＵ３０からの画像信号を受信すると、その画像信号に示される画像を表示する。スピーカ２１は、他のシステムと共用される車載スピーカである。スピーカ２１では、ＥＣＵ３０から音声信号を受信すると、その音声信号に応じて音声を出力する。ブザー２２は、危険状態を知らせる警報用のブザーである。ブザー２２では、ＥＣＵ３０からブザー信号を受信すると、そのブザー信号に応じてブザー音を出力する。ディスプレイ２０、スピーカ２１、ブザー２２は、運転支援装置１におけるＨＭＩの手段として機能する。
【００３６】
ＥＣＵ３０は、ＣＰＵ[Central ProcessingUnit]、ＲＯＭ[Read Only Memory]、ＲＡＭ[Random Access Memory]などからなる電子制御ユニットであり、運転支援装置１を統括制御する。ＥＣＵ３０では、ＲＯＭに記憶されている運転支援装置１用のアプリケーションプログラムをＲＡＭにロードして実行することにより通信制御部３１、受信信号処理部３２、位置データ処理部３３、危険状態判定部３４、ＨＭＩ制御部３５を構成する。
【００３７】
通信制御部３１は、路車間通信機１０による路車間通信及び車車間通信機１１による車車間通信を制御する。通信制御部３１では、自車両が路車間通信エリア以外に存在する場合には路車間通信機１０をスタンバイ状態とし、自車両が路車間通信エリア内に存在する場合には路車間通信機１０に対して路側信号の受信制御を行うとともに自車両信号の送信制御を行う。この際、通信制御部３１では、自車両の識別番号などからなる自車両信号を生成する。また、通信制御部３１では、車車間通信機１１を常時作動状態とし、車車間通信機１１に対して他車両からの車車間信号の受信制御を行うとともに自車両の車車間信号の送信制御を行う。この際、通信制御部３１では、一定時間毎に検知した現在位置、車速、進行方向、加速度や予め保持している自車両の車種、車両サイズ、ボディ色などの情報からなる自車両の車車間信号を生成する。
【００３８】
受信信号処理部３２は、路車間通信機１０で受信した路側信号及び車車間通信機１１で受信した車車間信号に対して、ＥＣＵ３０内で取り扱えるデータになるように各種加工処理を施す。例えば、データの単位の整合、データの検知時刻の整合がある。
【００３９】
位置データ処理部３３は、路車間通信で受信したインフラデータに含まれる他車両の現在位置データ及び／又は車車間通信機１１で受信した車車間通信データに含まれる他車両の現在位置データを利用し、他車両の予測現在位置を特定する。位置データ処理部３３には、自車両が路車間通信エリア内を走行している場合の第１のメイン処理、自車両が路車間通信エリア外から路車間通信エリア内に進入する場合の第２のメイン処理、自車両が路車間通信エリア外を走行している場合の第３のメイン処理がある。
【００４０】
自車両が路車間通信エリア内を走行している場合の第１のメイン処理について説明する。自車両ＭＶが路車間通信エリア内を走行している場合、路車間通信機１０で路側信号を受信できるので、その路側信号に含まれるインフラデータを取得できる。このインフラデータに含まれるインフラ検知手段による検知車両の現在位置は上記したように高精度なので、通常（インフラ検知エリアが交差点と交差道路との境界付近までカバーされている場合）、このインフラデータの現在位置をそのまま他車両の予測現在位置として運転支援処理する。
【００４１】
しかし、道路構造の制約などによって、図２に示すように、インフラ検知エリアＩＡが交差点と交差道路との境界付近までカバーされていない場合がある。この場合、他車両が交差点に到達する前に他車両がインフラ検知エリアＩＡを退出するので、自車両ＭＶでは、他車両がインフラ検知エリアＩＡを退出した後は車車間通信機１１で受信した車車間信号の車車間通信データに含まれる他車両の現在位置しか取得できない。この車車間通信データに含まれる現在位置は、上記したように低精度である。そのため、図２に示すように、従来の運転支援装置のように車車間通信データに含まれる現在位置をそのまま他車両の予測現在位置ＯＶＰｔとすると、この予測現在位置ＯＶＰｔは実際の他車両の現在位置ＯＶｔに対して大きな誤差が発生する場合がある。なお、図中の符号における下付き文字のｔ，ｔ−１は、時刻を示し、ｔが現時刻であり、ｔ−１が前時刻である。
【００４２】
例えば、位置更新間隔を５００ｍ秒とし、他車両の車速を時速５０ｋｍとした場合、前時刻の位置更新タイミングでの他車両の現在位置ＯＶｔ−１から現時刻の位置更新タイミングでの他車両の現在位置ＯＶｔの間で実際に約７ｍ移動する。また、車車間通信データの現在位置の位置誤差が最大３０ｍとした場合、車車間通信データをそのまま使用すると実際の現在位置に対して最大３０ｍの誤差が発生する可能性がある。したがって、他車両がインフラ検知エリアＩＡを退出した直後の位置更新タイミングｔで車車間通信データをそのまま使用すると、前時刻の位置更新タイミングｔ−１の予測現在位置ＯＶＰｔ−１から他車両の現在位置が最大３０ｍ＋７ｍ移動（車速換算で時速２６６ｋｍ）する可能性があり、予測現在位置ＯＶＰｔに大きな誤差が発生する。そのため、この予測現在位置ＯＶＰｔを他車両の位置としてディスプレイに表示した場合、前時刻の車両位置から車両位置が一気に飛んだり、一気に車線変更したり、複数台の他車両が接近しているときには他車両の前後関係や左右関係が逆転したりする可能性がある。また、その予測現在位置ＯＶＰｔを用いて危険状態判定（衝突予測判定など）を行った場合、車両位置判定、加速度判定や走行車線判定に異常をきたし、高精度な判定を行えない。
【００４３】
そこで、図３に示すように、インフラ検知エリアＩＡが交差点と交差道路との境界付近までカバーされていない場合、他車両がインフラ検知エリアＩＡを退出するときには、車車間通信データの現在位置をそのまま予想現在位置にするのではなく、交差点を通過するまで位置更新タイミング毎に、インフラ検知エリアＩＡを退出する直前のインフラデータの現在位置ＯＶＩｔ−１を初期値として、最新の車車間通信データの車速、進行方向、加速度を利用して予測現在位置ＯＶＰを順次算出する。
【００４４】
つまり、他車両がインフラ検知エリアＩＡを退出後の位置更新タイミング毎に予測現在位置ＯＶＰｔ，ＯＶＰｔ＋１，・・・が、前回の位置更新タイミングでの車両位置と最新の車車間通信データに含まれる他車両の車速、進行方向、加速度からそれぞれ算出される。前回の位置更新タイミングでの車両位置は、初期値がインフラ検知エリアＩＡを退出する直前のインフラデータの現在位置ＯＶＩｔ−１であり、それ以降は前回の位置更新タイミングで算出された予測現在位置ＯＶＰｔ，ＯＶＰｔ＋１，・・・である。これによって、図３に示すように、インフラ検知エリアＩＡを退出後も、実際の他車両の現在位置ＯＶｔ，ＯＶｔ＋１，・・・に対して予測現在位置ＯＶＰｔ，ＯＶＰｔ＋１，・・・の誤差が低減され、予測現在位置ＯＶＰの位置精度が高くなり、前回の予測現在位置からの変化も低減される。
【００４５】
具体的の処理としては、位置データ処理部３３では、自車両が路車間通信エリア内の場合、最新の路車間通信データを取得する。そして、位置データ処理部３３では、位置更新タイミング毎に、最新の路車間通信データに含まれるインフラデータから検知車両の現在位置を他車両の予測現在位置として設定し、その予測現在位置を危険状態判定部３４及びＨＭＩ制御部３５に出力している。また、位置データ処理部３３では、自車両が路車間通信エリア内の場合、インフラデータからインフラ検知エリアを取得する。そして、位置データ処理部３３では、インフラ検知エリアが交差点までカバーされているか否かを判定する。この際、インフラ検知エリアが交差点までカバーされている場合、位置データ処理部３３では、継続して、インフラデータの検知車両の現在位置を他車両の予測現在位置として設定し、その予測現在位置を危険状態判定部３４及びＨＭＩ制御部３５に出力する。
【００４６】
インフラ検知エリアが交差点までカバーされていない場合、位置データ処理部３３では、インフラデータから各検知車両の現在位置をそれぞれ取得する。そして、位置データ処理部３３では、インフラ検知エリアの退出地点と各検知車両の現在位置に基づいて、インフラ検知エリアの退出地点に近い検知車両が存在するか否かを判定する（つまり、インフラ検知エリアを退出する直前の他車両が存在するか否かを判定する）。インフラ検知エリアの退出地点に近い検知車両が存在する場合、位置データ処理部３３では、そのインフラ検知エリアの退出地点に近い検知車両を位置修正処理対象の候補車両としてリストアップし、その候補車両のインフラデータを記憶する。
【００４７】
候補車両をリストアップすると、位置データ処理部３３では、車車間通信によって受信できているインフラ検知エリア内の全ての他車両の車車間通信データを取得する。そして、位置データ処理部３３では、記憶している候補車両のインフラデータと取得した車車間通信データとのマッチングをそれぞれ行い、インフラ検知エリアの退出しようとしている他車両のインフラデータに対応する車車間通信データを探索する。このマッチングでは、現在位置、車速、車種、車両サイズ、ボディ色などで車両の照合を行う。
【００４８】
マッチングした車車間通信データが見つかると、位置データ処理部３３では、インフラ検知エリアの退出地点及び候補車両の現在位置に基づいて、候補車両がインフラ検知エリアを退出した直後か否かを判定する。候補車両がインフラ検知エリアを退出した直後の場合、位置データ処理部３３では、その候補車両の退出直前のインフラデータの現在位置を記憶し、その候補車両を対象として退出時位置修正処理を行う。なお、インフラ検知エリアを既に退出している他車両やインフラ検知エリア外の他車両に対しては、退出時位置修正処理を行わない。
【００４９】
退出時位置修正処理に移行するすると、位置データ処理部３３では、位置更新タイミング毎に以下の処理を行う。まず、位置データ処理部３３では、対象の他車両（候補車両）についてのマッチングが取れている最新の車車間通信データを取得し、その車車間通信データの車速、進行方向、加速度を取得する。また、位置データ処理部３３では、記憶している対象の他車両の前回の位置更新タイミングでの車両位置を取得する。
【００５０】
そして、位置データ処理部３３では、車速、進行方向、加速度から前回の位置更新タイミングから今回の位置更新タイミングまでの前後方向の移動量及び横方向の移動量を算出し、その前後方向の移動量及び横方向の移動量を前回の位置更新タイミングでの車両位置に加味して今回の予測現在位置とする。前回の位置更新タイミングでの車両位置は、インフラ検知エリアを退出する直前のインフラデータの現在位置又は前回の位置更新タイミングの際に算出された予測現在位置である。
【００５１】
位置データ処理部３３では、その算出した予測現在位置を記憶する。この記憶された予測現在位置が、次回の位置更新タイミングでの前回の位置更新タイミングでの車両位置となる。また、位置データ処理部３３では、その算出した予測現在位置を危険状態判定部３４及びＨＭＩ制御部３５へ出力する。
【００５２】
そして、位置データ処理部３３では、その対象の他車両が対象の交差点を通過したか否かを判定する。その対象の他車両が対象の交差点を通過していない場合、位置データ処理部３３では、次回の位置更新タイミングでの上記の処理を行う。その対象の他車両が対象の交差点を通過した場合、位置データ処理部３３では、その対象の他車両について、位置更新タイミング毎に、最新で取得した車車間通信データに含まれる現在位置を他車両の予測現在位置として設定し、その予測現在位置を危険状態判定部３４及びＨＭＩ制御部３５に出力する。
【００５３】
自車両が路車間通信エリア外から路車間通信エリア内に進入する場合の第２のメイン処理について説明する。自車両ＭＶが路車間通信エリア外を走行している場合、自車両ＭＶでは、車車間通信機１１により他車両の車車間信号しか受信できないので、その車車間信号の車車間通信データしか取得できない。この車車間通信データに含まれる他車両の現在位置は、上記したように低精度である。しかし、自車両ＭＶが路車間通信エリア外から路車間通信エリア内に進入すると、路車間通信機１０で路側信号も受信できるので、その路側信号の路車間通信データのインフラデータも取得できる。このインフラデータに含まれる検知車両の現在位置は、上記したように高精度である。したがって、図４に示すように、従来の運転支援装置のようにこのインフラデータに含まれる現在位置をそのまま他車両の予測現在位置ＯＶＰｔとすると、前時刻の予測現在位置ＯＶＰｔ−１から現時刻の予測現在位置ＯＶＰｔが大きく移動する場合がある。
【００５４】
例えば、位置更新間隔を５００ｍ秒とし、他車両の車速を時速５０ｋｍとした場合、上記したように一回の位置更新タイミングで他車両は実際に約７ｍ移動する。また、車車間通信データの現在位置の位置誤差が最大３０ｍとした場合、上記したように最大３０ｍの誤差が発生する可能性がある。したがって、他車両がインフラ検知エリアＩＡに進入した直後の位置更新タイミングｔでインフラデータを使用すると、予測現在位置ＯＶＰｔは、他車両の実際の現在位置ＯＶｔに対して誤差は少ないが、前時刻での予測現在位置ＯＶＰｔ−１から最大３０ｍ＋７ｍ移動する可能性がある。
【００５５】
そのため、インフラデータの現在位置をそのまま使用した予測現在位置ＯＶＰｔを他車両の位置としてディスプレイに表示した場合、図４に示すように、前時刻の予測現在位置ＯＶＰｔ−１から現時刻の予測現在位置ＯＶＰｔまで一気に飛ぶが、実際には他車両の前時刻の位置ＯＶｔ−１から現時刻の位置ＯＶＰｔまでそれほど移動していない。また、図５に示すように、左右の各車線で２台の他車両が接近して走行しており、インフラデータの現在位置をそのまま使用した予測現在位置ＯＶＰ１ｔと予測現在位置ＯＶＰ２ｔを２台の他車両の位置としてディスプレイに表示した場合、左車線の他車両については前時刻の予測現在位置ＯＶＰ２ｔ−１から現時刻の予測現在位置ＯＶＰ２ｔまで一気に飛んでいるが、右車線の他車両については前時刻の予測現在位置ＯＶＰ１ｔ−１から現時刻の予測現在位置ＯＶＰ１ｔが実際の移動量と同程度であり、ディスプレイの表示上で左車線の他車両が右車線の他車両を一気に追い抜いてしまう。しかし、実際には、左車線の他車両の前時刻の位置ＯＶ２ｔ−１は右車線の他車両の前時刻の位置ＯＶ１ｔ−１より前方であり、元々、左車線の他車両が先行していた。このように、インフラデータの現在位置をそのまま使用した予測現在位置ＯＶＰｔを他車両の位置としてディスプレイに表示した場合、車両位置が一気に飛んだり、一気に車線変更したり、複数台の他車両が接近しているときには、他車両の前後関係や左右関係が逆転したりする。
【００５６】
そこで、図６に示すように、他車両がインフラ検知エリアＩＡに進入するときには、インフラデータの現在位置をそのまま予想現在位置とするのではなく、運転者の視認可能地点ＬＰまで、車車間通信データの現在位置とインフラデータの現在位置との位置ずれ量に応じて位置更新タイミング毎の位置修正量を算出し、その位置修正量をインフラデータの現在位置に加味して予測現在位置ＯＶＰを位置更新タイミング毎に算出する。運転者の視認可能地点ＬＰは、自車両ＭＶの運転者から直接視認できる範囲ＬＡの端部の地点である。この視認可能地点ＬＰより交差点側は運転者が他車両の位置を直接確認できるので、運転者の視認による車両位置とディスプレイ２０上の車両位置とによって違和感を与えないように、この視認可能地点ＬＰまでに位置修正を終了させ、他車両が視認可能地点ＬＰを通過後はインフラデータの現在位置をそのまま使用する。逆に、この視認可能地点ＬＰまでは運転者が他車両の位置を直接確認できないので、ディスプレイ２０上の車両位置の大きな移動（位置飛び）によって運転者に違和感を与えないように、この視認可能地点ＬＰまではインフラデータの現在位置に徐々に近づくように車両位置を位置修正する。なお、危険状態判定については、他車両がインフラ検知エリアＩＡに進入後、高精度なインフラデータの現在位置をそのまま使用する。
【００５７】
つまり、他車両がインフラ検知エリアＩＡを進入後に、位置修正量ΔＤが、車車間通信データの現在位置とインフラデータの現在位置との位置ずれ量と位置修正回数（＝他車両が視認可能地点ＬＰに到達までに要する予想経過時間／位置更新間隔）に基づいて算出される。他車両の車速の変化が小さい場合には他車両がインフラ検知エリアＩＡに進入後に全ての位置更新タイミングについての位置修正量ΔＤを一度に求めてもよいが、他車両の車速の変化が大きい場合には位置更新タイミング毎に位置修正量ΔＤを求める必要がある。この位置修正量ΔＤの絶対値は、他車両が視認可能地点ＬＰに近づくにつれて徐々に小さくなり、他車両が視認可能地点ＬＰが到達した時点あるいはそのその直前で０になるようにする。また、位置修正量ΔＤは、車車間通信データの現在位置がインフラデータの現在位置より交差点寄りの場合にはプラス値であり、車車間通信データの現在位置がインフラデータの現在位置より交差点の遠方側の場合にはマイナス値である。そして、位置更新タイミング毎に、インフラデータの現在位置に位置修正量ΔＤを加算し、その加算値を予想現在位置ＯＶＰとする。これによって、図６に示すように、他車両がインフラ検知エリアＩＡを進入後、実際の他車両の現在位置ＯＶｔ，ＯＶｔ＋１，・・・（インフラデータの現在位置）に対して予測現在位置ＯＶＰｔ，ＯＶＰｔ＋１，・・・（ディスプレイ２０の上の車両位置）が徐々に近づき、視認可能地点ＬＰで実際の他車両の現在位置ＯＶｔ＋３と予測現在位置ＯＶＰｔ＋３が一致するようになる。
【００５８】
例えば、他車両がインフラ検知エリアＩＡに進入直後の車車間通信データの現在位置がインフラデータの現在位置より３０ｍ後方とし（進入地点で位置ずれ量が−３０ｍであり）、インフラ検知エリアＩＡの進入地点から視認可能地点ＬＰまでの他車両の予測経過時間が１０秒であり、位置更新間隔を５００ｍ秒とする。この場合、位置ずれ量の−３０ｍを２０回（＝１０／０．５）の位置更新タイミングで修正する必要がある。したがって、―３０ｍを初期値として、位置更新タイミング毎に前回値から１．５ｍ（＝３０／２０）を加算した値を位置修正量ΔＤとする。例えば、他車両がインフラ検知エリアＩＡに進入後の１回目の位置修正の位置更新タイミングではΔＤ＝−２８．５ｍ（＝−３０＋１．５×１）であり（つまり、ディスプレイ２０上の車両位置がインフラデータの現在位置より交差点より２８．５ｍ遠方側の位置となる）、７回目の位置修正の位置更新タイミングではΔＤ＝−１９．５ｍ（＝−３０＋１．５×７）であり、１４回目の位置修正の位置更新タイミングではΔＤ＝−９．０ｍ（＝−３０＋１．５×１４）であり、２０回の位置修正の位置更新タイミングではΔＤ＝０．０ｍ（＝−３０＋１．５×２０）である。
【００５９】
なお、位置修正量ΔＤを求める方法としては、上記の例のように直線補間的な方法でもよいが、他の方法で求めてもよい。例えば、インフラ検知エリアＩＡの進入地点に近いほど（つまり、運転者から遠方ほど）位置修正量ΔＤを大きな値とし、視認可能地点ＬＰに近いほど（つまり、運転者から近方ほど）位置修正量ΔＤを小さな値とする方法がある。
【００６０】
具体的の処理としては、位置データ処理部３３では、自車両が路車間通信エリアに進入したか否かを判定する。自車両が路車間通信エリアに進入した場合、路車間通信が開始され、路車間通信データ（インフラデータ）の受信が開始され、危険状態判定などの運転支援処理も作動を開始する。そして、位置データ処理部３３では、インフラデータからインフラ検知エリアを取得する。また、位置データ処理部３３では、地図データベース１３やインフラデータから対象の交差点周辺の各種情報を取得する。交差点周辺の各種情報としては、例えば、交差点周辺の建物（ビル）、看板や塀などの設置状況、インフラ検知エリアの道路のカーブ曲率、周辺の停止の車両（特に、大型車）の存在がある。そして、位置データ処理部３３では、対象の交差点周辺の各種情報に基づいて、自車両の運転者のインフラ検知エリアにおける視認可能地点（交差点からの距離などで規定）を推測する。この際、交差点において全て見通せる場合や殆ど範囲を見通せる場合に備えて、視認可能地点として最大の規定地点を予め設定しておく。
【００６１】
次に、位置データ処理部３３では、車車間通信によって受信できているインフラ検知エリア内の全ての他車両の車車間通信データを取得する。また、位置データ処理部３３では、インフラ検知エリアの進入地点と各他車両の現在位置に基づいて、インフラ検知エリアの進入地点に近い他車両が存在するか否かを判定する（つまり、インフラ検知エリアを進入する直前の他車両が存在するか否かを判定する）。インフラ検知エリアの進入地点に近い他車両が存在する場合、位置データ処理部３３では、そのインフラ検知エリアの進入地点に近い他車両を位置修正処理対象の候補車両としてリストアップする。
【００６２】
候補車両をリストアップすると、位置データ処理部３３では、インフラ検知エリアの進入地点、候補車両の現在位置に基づいて、候補車両がインフラ検知エリアに進入した直後か否かを判定する。候補車両がインフラ検知エリアに進入直後の場合、位置データ処理部３３では、その候補車両を対象として進入時位置修正処理を行う。なお、インフラ検知エリアに既に進入している他車両やインフラ検知エリアを通過後の他車両、インフラ検知エリア外の他車両に対しては、進入時位置修正処理を行わない。
【００６３】
退出時位置修正処理に移行するすると、位置データ処理部３３では、対象の他車両（候補車両）の車車間通信データとインフラデータとのマッチングをそれぞれ行い、インフラ検知エリアに進入直後の他車両の車車間通信データに対応するインフラデータを探索する。
【００６４】
マッチングしたインフラデータが見つかると、位置データ処理部３３では、その対象の他車両の車車間データの現在位置とインフラデータの現在位置との前後方向の位置ずれ量と横方向の位置ずれ量をそれぞれ算出する。また、位置データ処理部３３では、インフラデータの現在位置と運転者の視認可能地点に基づいて、対象の他車両の現在位置から視認可能地点までの距離を算出する。そして、位置データ処理部３３では、その算出した距離とインフラデータの車速に基づいて、対象の他車両が視認可能地点に到達するまでに要する予想経過時間を算出する。さらに、位置データ処理部３３では、その算出した各方向の位置ずれ量と予想経過時間及び位置更新間隔に基づいて、各位置更新タイミングでの前後方向の位置修正量と横方向の位置修正量をそれぞれ算出する。ここでは、他車両がインフラ検知エリアに進入した直後に視認可能地点に他車両が到達するまでの全ての位置更新タイミングについての位置修正量を一度に求めるが、他車両の車速の変化が大きくなった場合には位置修正量を算出し直す。
【００６５】
位置更新タイミング毎に、位置データ処理部３３では、最新のインフラデータの現在位置に前後方向の位置修正量と横方向の位置修正量を加算し、予想現在位置を算出する。位置データ処理部３３では、その算出した予測現在位置をＨＭＩ制御部３５へ出力する。ちなみに、危険状態判定部３４には、インフラデータの現在位置がそのまま出力される。
【００６６】
位置データ処理部３３では、その対象の他車両が運転者の視認可能地点に到達したか否かを判定する。その対象の他車両が運転者の視認可能地点に到達していない場合、位置データ処理部３３では、次回の位置更新タイミングで上記の処理を行う。その対象の他車両が運転者の視認可能地点に到達後、位置データ処理部３３では、その対象の他車両について、位置更新タイミング毎に、最新で取得したインフラデータに含まれる他車両の現在位置を他車両の予測現在位置として設定し、その予測現在位置を危険状態判定部３４及びＨＭＩ制御部３５に出力する。
【００６７】
自車両が路車間通信エリア外を走行している場合の第３のメイン処理について説明する。路車間通信エリア外を走行している場合、自車両では、車車間通信機１１によって車車間信号しか受信できないので、他車両の情報としては車車間信号の車車間通信データしか取得できない。したがって、位置データ処理部３３では、位置更新タイミング毎に、最新で取得した車車間通信データに含まれる他車両の現在位置を他車両の予測現在位置として設定し、その予測現在位置を危険状態判定部３４及びＨＭＩ制御部３５に出力する。
【００６８】
危険状態判定部３４は、自車両と他車両との危険状態（例えば、衝突の可能性）を判定する。この危険状態の判定は、他車両との関係で危険性が高くなるエリアだけで行えばよく、例えば、交差点で行う。危険状態判定部３４では、ＧＰＳ受信機１２から入力した自車両の現在位置と位置データ処理部３３から入力した他車両の予測現在位置との位置関係に自車両及び他車両の車速、進行方向、加速度、ウインカ情報などを考慮して危険状態を判定する。この判定方法としては、どのような方法を適用してもよく、従来の方法を用いる。危険状態判定部３４では、その判定結果をＨＭＩ制御部３５に出力する。
【００６９】
ＨＭＩ制御部３５は、運転者に対して他車両の位置情報や他車両との関係で危険状態の情報をディスプレイ２０、スピーカ２１、ブザー２２を用いて提供する。ＨＭＩ制御部３５では、位置データ処理部３３から入力した各他車両の予測現在位置を自車両周辺の地図上に示した画像情報を生成し、その画像情報からなる画像信号をディスプレイ２０に送信する。また、ＨＭＩ制御部３５では、危険状態判定部３４から入力した危険状態の判定結果に基づいて、運転者に知らせる必要のある危険状態のレベルの場合にはその危険状態のレベルに応じて画像情報、音声情報、ブザー情報をそれぞれ生成し、その画像情報からなる画像信号をディスプレイ２０に送信し、その音声情報からなる音声信号をスピーカ２１に送信し、そのブザー情報からブザー信号をブザー２２に送信する。
【００７０】
図１〜図６を参照して、運転支援装置１における動作について説明する。特に、ＥＣＵ３０における自車両が路車間通信エリア内を走行している場合の処理については図７及び図８のフローチャートに沿って説明し、ＥＣＵ３０における自車両が路車間通信エリア外から路車間通信エリア内に進入する場合の処理については図９及び図１０のフローチャートに沿って説明する。図７は、図１のＥＣＵにおける第１のメイン処理の流れを示すフローチャートである。図８は、図１のＥＣＵにおける退出時位置修正処理の流れを示すフローチャートである。図９は、図１のＥＣＵにおける第２のメイン処理の流れを示すフローチャートである。図１０は、図１のＥＣＵにおける進入時位置修正処理の流れを示すフローチャートである。
【００７１】
運転支援装置１が作動すると、路車間通信機１０と車車間通信機１１も作動する。路車間通信機１０は、ＥＣＵ３０（通信制御部３１）によって通信制御され、通常、スタンバイ状態であり、自車両が路車間通信エリアに進入すると路側の通信機に対して自車両信号を送信するとともに路側の通信機から路側信号を受信し、自車両が路車間通信エリアから退出するとスタンバイ状態になる。ＥＣＵ３０（受信信号処理部３２）では、路側信号を入力し、路側信号から路車間通信データ（ＶＩＣＳデータ、インフラデータ）を取り出し、この各データに対して各種加工を施す。車車間通信機１１は、ＥＣＵ３０（通信制御部３１）によって通信制御され、所定距離以内に存在する他車両に対して車車間信号を送信するとともに、所定距離以内に存在する他車両から車車間信号を受信する。ＥＣＵ３０（受信信号処理部３２）では、車車間信号を入力し、車車間信号から車車間通信データを取り出し、この各データに対して各種加工を施す。
【００７２】
また、ＧＰＳ受信機１２も作動する。ＧＰＳ受信機１２では、ＧＰＳ衛星からのＧＰＳ信号を受信し、そのＧＰＳ信号に基づいて自車両の現在位置などを算出する。ＥＣＵ３０（受信信号処理部３２）では、このＧＰＳ受信機１２から自車両の現在位置情報などを入力する。また、車速センサ１４では、車速を検知する。ブレーキスイッチ１５では、ブレーキペダルのＯＮ／ＯＦＦを検知する。ウインカスイッチ１６では、運転者によるウインカ操作を検知する。ＥＣＵ３０（受信信号処理部３２）では、これらの車速情報、ブレーキペダルのＯＮ／ＯＦＦ情報、ウインカ操作情報などを入力する。
【００７３】
自車両が路車間通信エリア内を走行中の場合について説明する。ＥＣＵ３０の位置データ処理部３３では、自車両が路車間通信エリア内か否かを判定する（Ｓ１０）。Ｓ１０にて自車両が路車間通信エリア内でないと判定した場合、位置データ処理部３３では、一定時間後にＳ１０に戻って、再度、自車両が路車間通信エリア内か否かを判定する。
【００７４】
Ｓ１０にて自車両が路車間通信エリア内と判定した場合、位置データ処理部３３では、インフラデータからインフラ検知エリア（特に、退出地点）を取得する（Ｓ１１）。そして、位置データ処理部３３では、インフラ検知エリアが交差点までカバーされているか否か（つまり、インフラ検知エリアの退出地点が交差点まで延びているか否か）を判定する（Ｓ１２）。Ｓ１２にてインフラ検知エリアが交差点までカバーされていると判定した場合、ＥＣＵ３０では、通常の処理として、最新のインフラデータの現在位置を使用して危険状態判定やＨＭＩ制御を行う（Ｓ２１）。
【００７５】
Ｓ１２にてインフラ検知エリアが交差点までカバーされていないと判定した場合、位置データ処理部３３では、インフラデータからインフラ検知手段で検知された車両（検知車両）の現在位置を取得する（Ｓ１３）。そして、位置データ処理部３３では、インフラ検知エリアの退出地点に近い検知車両が存在するか否かを判定する（Ｓ１４）。Ｓ１４にてインフラ検知エリアの退出地点に近い検知車両が存在しないと判定した場合、位置データ処理部３３では、一定時間後にＳ１３に戻って、再度、最新のインフラデータから検知車両の現在位置を取得する。
【００７６】
Ｓ１４にてインフラ検知エリアの退出地点に近い検知車両が存在すると判定した場合、位置データ処理部３３では、インフラ検知エリアの退出地点に近い検知車両を位置修正処理の候補車両としてリストアップする（Ｓ１５）。位置データ処理部３３では、インフラ検知エリア内に存在する全ての他車両についての最新の車車間通信データを取得する（Ｓ１６）。そして、位置データ処理部３３では、候補車両のインフラデータと取得した各他車両の車車間通信データとをそれぞれマッチングし、候補車両の車車間通信データを探索する（Ｓ１７）。
【００７７】
位置データ処理部３３では、インフラ検知エリアの退出地点及び候補車両の現在位置に基づいて、候補車両がインフラ検知エリアを退出した直後か否かを判定する（Ｓ１８）。Ｓ１８にて候補車両がインフラ検知エリアを退出していないと判定した場合、位置データ処理部３３では、一定時間後にＳ１８に戻って、再度、候補車両がインフラ検知エリアを退出した直後か否かを判定する。
【００７８】
Ｓ１８にて候補車両がインフラ検知エリアを退出した直後と判定した場合、位置データ処理部３３では、その候補車両についてのインフラ検知エリアを退出する直前のインフラデータの現在位置を記憶し（Ｓ１９）、その候補車両に対する退出時位置修正処理に移行する（Ｓ２０）。
【００７９】
退出時位置修正処理に移行すると、位置データ処理部３３では、位置更新タイミングか否かを判定する（Ｓ３０）。Ｓ３０にて位置更新タイミングでないと判定した場合、位置データ処理部３３では、位置更新タイミングまで待つ。
【００８０】
Ｓ３０にて位置更新タイミングと判定した場合、位置データ処理部３３では、位置修正処理の対象の他車両（候補車両：車車間通信データとのマッチング済み）の最新の車車間通信データを取得する（Ｓ３１）。そして、位置データ処理部３３では、その車車間通信データから対象の他車両の車速、進行方向、加速度を取得する（Ｓ３２）。また、位置データ処理部３３では、対象の他車両の前回の車両位置（インフラ検知エリアを退出する直前のインフラデータの現在位置又は前回の位置更新タイミングの際に算出された予測現在位置）を取得する（Ｓ３３）。
【００８１】
そして、位置データ処理部３３では、取得した車速、進行方向、加速度及び前回の車両位置に基づいて、対象の他車両の今回の予測現在位置を算出する（Ｓ３４）。さらに、位置データ処理部３３では、その算出した予測現在位置を記憶する（Ｓ３５）。また、位置データ処理部３３では、その算出した予測現在位置を危険状態判定部３４及びＨＭＩ制御部３５に出力する（Ｓ３６、Ｓ３７）。
【００８２】
位置データ処理部３３では、その対象の他車両が対象の交差点を通過したか否かを判定する（Ｓ３９）。Ｓ３９にて対象の他車両が対象の交差点を通過していないと判定した場合、位置データ処理部３３では、Ｓ３０に戻って、次回の位置更新タイミングで上記の処理を行う。Ｓ３９にて対象の他車両が対象の交差点を通過したと判定した場合、位置データ処理部３３では、その対象の他車両について、位置更新タイミング毎に、最新で取得した車車間通信データの現在位置を他車両の予測現在位置として設定し、その予測現在位置を危険状態判定部３４及びＨＭＩ制御部３５に出力する（Ｓ４０）。
【００８３】
自車両が路車間通信エリア外から路車間通信エリア内に進入する場合について説明する。位置データ処理部３３では、自車両が路車間通信エリアに進入したか否かを判定する（Ｓ５０）。Ｓ５０にて自車両が路車間通信エリアに進入していないと判定した場合、位置データ処理部３３では、一定時間後にＳ５０に戻って、再度、自車両が路車間通信エリアに進入したか否かを判定する。
【００８４】
Ｓ５０にて自車両が路車間通信エリアに進入したと判定した場合、路車間通信機１０による路車間通信データ（インフラデータ）の受信が開始され、ＥＣＵ３０での運転支援処理の作動も開始される（Ｓ５１）。
【００８５】
位置データ処理部３３では、インフラデータからインフラ検知エリアを取得する（Ｓ５２）。また、位置データ処理部３３では、地図データベース１３やインフラデータから対象の交差点付近の各種情報を取得する（Ｓ５３）。そして、位置データ処理部３３では、その交差点周辺の各種情報に基づいて、自車両の運転者のインフラ検知エリア内での視認可能地点を推測する（Ｓ５４）。
【００８６】
位置データ処理部３３では、インフラ検知エリア内の全ての他車両についての最新の車車間通信データを取得する（Ｓ５５）。また、位置データ処理部３３では、インフラ検知エリアの進入地点と各他車両の現在位置に基づいて、インフラ検知エリアの進入地点に近い他車両が存在するか否かを判定する（Ｓ５６）。Ｓ５６にてインフラ検知エリアの進入地点に近い他車両が存在しないと判定した場合、位置データ処理部３３では、一定時間後にＳ５５に戻って、再度、最新の車車間通信データを取得する。
【００８７】
Ｓ５６にてインフラ検知エリアの進入地点に近い他車両が存在すると判定した場合、位置データ処理部３３では、そのインフラ検知エリアの進入地点に近い他車両を位置修正処理の候補車両としてリストアップする（Ｓ５７）。そして、位置データ処理部３３では、インフラ検知エリアの進入地点及び候補車両の現在位置に基づいて、候補車両がインフラ検知エリアに進入した直後か否かを判定する（Ｓ５８）。Ｓ５８にて候補車両がインフラ検知エリアに進入していないと判定した場合、位置データ処理部３３では、一定時間後にＳ５５に戻って、再度、最新の車車間通信データを取得する。
【００８８】
Ｓ５８にて候補車両がインフラ検知エリアに進入した直後と判定した場合、位置データ処理部３３では、その候補車両に対する進入時位置修正処理に移行する（Ｓ５９）。
【００８９】
進入時位置修正処理に移行すると、位置データ処理部３３では、最新のインフラデータを取得する。そして、位置データ処理部３３では、位置修正処理の対象の他車両（候補車両）の車車間通信データと取得したインフラデータとをそれぞれマッチングし、候補車両のインフラデータを探索する（Ｓ６０）。
【００９０】
位置データ処理部３３では、対象の他車両についての車車間通信データの現在位置とインフラデータの現在位置との位置ずれ量を算出する（Ｓ６１）。また、位置データ処理部３３では、インフラデータの現在位置と運転者の視認可能地点に基づいて対象の他車両の現在位置から視認可能地点までの距離を算出し、この距離とインフラデータの車速に基づいて対象の他車両が視認可能地点に到達するまでに要する予想経過時間を算出する（Ｓ６２）。そして、位置データ処理部３３では、位置ずれ量と予想経過時間及び位置更新間隔に基づいて各位置更新タイミングでの位置修正量を算出する（Ｓ６３）。なお、Ｓ６１〜Ｓ６３の処理については、対象の他車両がインフラ検知エリアに進入直後の最初の位置更新タイミングでは必ず行い、それ以外の位置更新タイミングでは対象の他車両の車速の変化が大きくなったときに行う。
【００９１】
位置データ処理部３３では、新たなインフラデータを受信したか否かを判定する（Ｓ６４）。Ｓ６４にて新たなインフラデータを受信していないと判定した場合、位置データ処理部３３では、新たなインフラデータを受信するまで待つ。Ｓ６４にて新たなインフラデータを受信したと判定した場合、位置データ処理部３３では、位置更新タイミングか否かを判定する（Ｓ６５）。Ｓ６５にて位置更新タイミングでないと判定した場合、位置データ処理部３３では、位置更新タイミングまで待つ。
【００９２】
Ｓ６５にて位置更新タイミングと判定した場合、位置データ処理部３３では、インフラデータの現在位置に算出した位置修正量を加算し、予想現在位置を算出する（Ｓ６６）。そして、位置データ処理部３３では、その対象の他車両についての最新のインフラデータの現在位置を危険状態判定部３４に出力するとともに（Ｓ６７）、その算出した予測現在位置をＨＭＩ制御部３５に出力する（Ｓ６８）。
【００９３】
位置データ処理部３３では、その対象の他車両が運転者の視認可能地点に到達したか否かを判定する（Ｓ６９）。Ｓ６９にて対象の他車両が運転者の視認可能地点に到達していないと判定した場合、位置データ処理部３３では、Ｓ６１に戻って、上記の処理を行う。Ｓ６９にて対象の他車両が運転者の視認可能地点に到達したと判定した場合、位置データ処理部３３では、その対象の他車両について、位置更新タイミング毎に、最新で取得したインフラデータの現在位置を他車両の予測現在位置として設定し、その予測現在位置を危険状態判定部３４及びＨＭＩ制御部３５に出力する（Ｓ７０）。
【００９４】
自車両が路車間通信エリア外を走行している場合について説明する。位置データ処理部３３では、位置更新タイミング毎に、最新で取得した車車間通信データの現在位置を他車両の予測現在位置として設定し、その予測現在位置を危険状態判定部３４及びＨＭＩ制御部３５に出力する。
【００９５】
危険状態判定部３４では、ＧＰＳ受信機１２からの自車両の現在位置を取得するとともに、センサなどから自車両の車速や進行方向などの他の情報を取得する。また、危険状態判定部３４では、位置データ処理部３３からの他車両の予測現在位置を取得するとともに、インフラデータあるいは車車間通信データから他車両の車速や進行方向などの他の情報を取得する。そして、危険状態判定部３４では、自車両の現在位置と他車両の予測現在位置との位置関係及び自車両と他車両の他の情報に基づいて危険状態を判定し、その判定結果をＨＭＩ制御部３５に出力する。
【００９６】
ＨＭＩ制御部３５では、位置データ処理部３３からの他車両の予測現在位置を取得するとともに、危険状態判定部３４からの危険状態の判定結果を取得する。ＨＭＩ制御部３５では、各他車両の予測現在位置を自車両周辺の地図上に示した画像情報を生成し、その画像情報からなる画像信号をディスプレイ２０に送信する。この画像信号を受信すると、ディスプレイ２０では、画像信号に基づいて他車両の車両位置を示す周辺地図を表示する。また、ＨＭＩ制御部３５では、危険状態の判定結果に基づいて、運転者に知らせる必要のある危険状態のレベルの場合にはその危険状態のレベルに応じて画像情報、音声情報、ブザー情報をそれぞれ生成し、その画像信号をディスプレイ２０に送信し、その音声信号をスピーカ２１に送信し、そのブザー信号をブザー２２に送信する。この画像信号を受信すると、ディスプレイ２０では、画像信号に基づいて他車両との関係で危険状態を知らせる画像を表示する。また、この音声信号を受信すると、スピーカ２１では、音声信号に基づいて他車両との関係で危険状態を知らせる音声を出力する。このブザー信号を受信すると、ブザー２２では、このブザー信号に基づいてブザー音を出力する。
【００９７】
この運転支援装置１によれば、高精度のインフラデータの車両位置と低精度の車車間通信データの車両位置とを切り替えの際（他車両がインフラ検知エリアを進入あるいは退出するとき）に位置修正処理を行うことにより、切り替え時の車両位置の変化を抑制でき、高精度な運転支援を行うことができる。特に、ディスプレイにおいて車両位置を表示する場合、車両位置が急激に移動するようなことがないので、運転者に違和感やシステムに対する不信感を与えない。
【００９８】
特に、運転支援装置１によれば、他車両がインフラ検知エリアから退出したときに退出直前のインフラデータの車両位置に基づいて車両位置を修正することにより、高精度かつ位置変化を抑えた車両位置を求めることができる。これによって、道路構造などの物理的な制約によりインフラ検知手段で交差点まで他車両を検知できない場合でも、他車両がインフラ検知エリアを退出した後も交差点まで精度の高い車両位置によりインフラデータ並みの適切な運転支援を行うことができる。また、交差点に進入する他車両の車両位置がインフラ検知エリアを退出したときに一気に飛ぶようなことがなく、複数の他車両が混在する場合に他車両の前後位置関係や左右位置関係が急激に逆転するようなことがなくなる。したがって、ディスプレイ２０における他車両の位置の表示において、運転者に違和感やシステムへの不信感を与えない。また、危険状態判定において、自車両と他車両との位置関係が適切になり、判定精度が高くなる。さらに、交差点近傍のビルや高架道路などによってＧＰＳによる位置精度が低下する場合でも、車車間通信データの位置精度に関係なく、精度の良い車両位置を求めることができる。
【００９９】
また、運転支援装置１によれば、他車両がインフラ検知エリアに進入したときに運転者の視認可能地点まで車車間通信データとインフラデータとの位置ずれ量に基づいて車両位置を徐々に修正することにより、車両位置変化を抑えた車両位置を求めることができる。これによって、インフラ検知エリアの進入地点付近で他車両の車両位置が一気に飛ぶようなことがなく、複数の他車両が混在する場合に他車両の前後位置関係や左右位置関係が急激に逆転するようなことがなくなる。したがって、ディスプレイ２０における他車両の位置の表示において、運転者に違和感やシステムへの不信感を与えない。また、運転者が直接視認できない区間で位置修正を行い、直接視認できる地点以降でインフラデータの車両位置にするので、運転者の視認とディスプレイ２０上での車両位置との比較による違和感を与えない。
【０１００】
以上、本発明に係る実施の形態について説明したが、本発明は上記実施の形態に限定されることなく様々な形態で実施される。
【０１０１】
例えば、本実施の形態では車車間通信と路車間通信の両方を行う運転支援装置に適用したが、路車間通信だけを行う運転支援装置にも適用可能である。
【０１０２】
また、本実施の形態では運転支援としては他車両の車両位置の表示及び危険状態判定に基づく運転者へのＨＭＩ制御を行う構成としたが、運転支援としては他の支援を行うものでもよい。また、音声や表示によるＨＭＩ制御を行う構成としたが、自動ブレーキなどの車両側の制御を行う構成としてもよい。
【０１０３】
また、本実施の形態では他車両の位置を修正する場合に適用したが、自車両の位置を修正する場合にも適用できる。
【０１０４】
また、本実施の形態では他車両がインフラ検知エリア内からエリア外に出るときの退出時の位置修正と他車両がインフラ検知エリア外からエリア内に入るときの進入時の位置修正の両方を行う構成としたが、どちらか一方だけを行う構成としてもよい。
【０１０５】
また、本実施の形態では他車両がインフラ検知エリア内からエリア外に出るときにインフラデータの現在位置を初期値として車車間通信データの車速などを利用して車両位置を順次修正してゆくことにより切り替えのタイミングを遅延させる構成としたが、切り替えのタイミングを遅延させる方法としては他の方法でもよい。
【０１０６】
また、本実施の形態では他車両がインフラ検知エリア外からエリア内に入るときにインフラデータの現在位置と車車間通信データの現在位置との位置ずれ量が徐々に小さくなるように車両位置を順次修正してゆくことによりインフラデータの車両位置に徐々に切り替える構成としたが、インフラデータの車両位置に徐々に切り替える方法としては他の方法でもよい。
【図面の簡単な説明】
【０１０７】
【図１】本実施の形態に係る運転支援装置の構成図である。
【図２】片側一車線の場合の他車両がインフラ検知エリアから出るときの他車両の実際の位置推移と従来の運転支援装置における処理後の他車両の位置推移の一例である。
【図３】片側一車線の場合の他車両がインフラ検知エリアから出るときの他車両の実際の位置推移と図１の運転支援装置における処理後の他車両の位置推移の一例である。
【図４】片側一車線の場合の他車両がインフラ検知エリアに入るときの他車両の実際の位置推移と従来の運転支援装置における処理後の他車両の位置推移の一例である。
【図５】片側二車線の場合の２台の他車両がインフラ検知エリアに入るときの他車両の実際の位置推移と従来の運転支援装置における処理後の他車両の位置推移の一例である。
【図６】片側一車線の場合の他車両がインフラ検知エリアに入るときの他車両の実際の位置推移と図１の運転支援装置における処理後の他車両の位置推移の一例である。
【図７】図１のＥＣＵにおける第１のメイン処理の流れを示すフローチャートである。
【図８】図１のＥＣＵにおける退出時位置修正処理の流れを示すフローチャートである。
【図９】図１のＥＣＵにおける第２のメイン処理の流れを示すフローチャートである。
【図１０】図１のＥＣＵにおける進入時位置修正処理の流れを示すフローチャートである。
【符号の説明】
【０１０８】
１…運転支援装置、１０…路車間通信機、１１…車車間通信機、１２…ＧＰＳ受信機、１３…地図データベース、１４…車速センサ、１５…ブレーキスイッチ、１６…ウインカスイッチ、２０…ディスプレイ、２１…スピーカ、２２…ブザー、３０…ＥＣＵ、３１…通信制御部、３２…受信信号処理部、３３…位置データ処理部、３４…危険状態判定部、３５…ＨＭＩ制御部
【図１】
0004930441.tif 000002
【図２】
0004930441.tif 000003
【図３】
0004930441.tif 000004
【図４】
0004930441.tif 000005
【図５】
0004930441.tif 000006
【図６】
0004930441.tif 000007
【図７】
0004930441.tif 000008
【図８】
0004930441.tif 000009
【図９】
0004930441.tif 000010
【図１０】
0004930441.tif 000011